(57)【特許請求の範囲】
【請求項１】
後ろ身頃部、左前身頃部、右前身頃部、衿部、および左袖部、右袖部を有する半纏であって、
前記左前身頃部の前記衿部端縁の所要箇所に設けられている第１の結び紐と、
前記右前身頃部の前記衿部端縁の所要箇所に設けられている第２の結び紐と、
前記左前身頃部と前記右前身頃部において、少なくとも前記右前身頃部に設けられているポケットと、
前記右前身頃部に設けられている前記ポケットの入口近傍に基端部を固定して設けられている第３の結び紐とを備えており、
該第３の結び紐が、前記ポケットの縫着部で一緒に右前身頃に固定されている、
半纏。
【請求項２】
前記第３の結び紐が、前記ポケットの入口近傍において、前記右前身頃部の衿部とは遠い側の端部に設けられている
請求項１の半纏。
【請求項３】
前記ポケットの一端が、右前身頃部と後ろ身頃部の間の縫製部で縫着されている
請求項１または２の半纏。
【請求項４】
左前身頃部の衿部端縁の所要箇所に設けられている第１の結び紐と、
右前身頃部の衿部端縁の所要箇所に設けられている第２の結び紐と、
前記左前身頃部と前記右前身頃部において、何れか一方、または双方に設けられているポケットと、
前記ポケットの入口近傍に基端部を固定して設けられている第３の結び紐とを備えており、
該第３の結び紐が、前記ポケットの縫着部で一緒に右前身頃に固定されている、
半纏。
【発明の詳細な説明】
【技術分野】
【０００１】
本発明は、半纏（はんてん）に関するものである。更に詳しくは、綿入れ半纏等の半纏において、結び紐を結んだときに、左右の前身頃部同士を合わせないスタイルと、前身頃部同士を合わせるスタイルの、両用の着用スタイルを使い分けることができる半纏に関する。
【背景技術】
【０００２】
主に室内用の防寒着として、綿入れ半纏が使用されている。綿入れ半纏等のいわゆる半纏といわれるものは、非特許文献１に開示されているように、左右の前身頃部の衿部端縁に結び紐の一方と他方が取り付けられている構造である。この綿入れ半纏は、使用時には、左右の前身頃部を合わせないように、つまり重ねないようにして結び紐を結んで左右の前身頃部を閉じるようになっている。
【０００３】
また、非特許文献２に開示されているように、綿入れ半纏（非特許文献２では、綿入れねんねこはんてん）の中には、一方の結び紐が一方の前身頃において、衿部端縁ではなく中程に取り付けられているものがある。この綿入れ半纏は、使用時には、防寒着としての機能をより向上させるため、左右の前身頃部の一部を合わせるように、つまり一部を重ねるようにして結び紐を結んで左右の前身頃部を閉じるようになっている。
【先行技術文献】
【非特許文献】
【０００４】
【非特許文献１】和粋庵  〔綿入れはんてん〕  ５０５３番柄キリン純毛モス袢天  男性用  インターネット＜URL：http://wasuian.com/SHOP/km01001030.html＞、〔2014/9/16検索〕
【０００５】
【非特許文献２】ＰＡＲＫ、綿入れねんねこはんてん  Ｍサイズ  インターネット＜URL：http://park.jp/items/index?dm=hantenya.bj&icd=neneko_s36_m＞、〔2014/9/16検索〕
【発明の概要】
【発明が解決しようとする課題】
【０００６】
しかしながら、上記左右の前身頃部の衿部端縁に結び紐の一方と他方が取り付けられている綿入れ半纏と、一方の結び紐が一方の前身頃において、衿部端縁ではなく中程に取り付けられている綿入れ半纏には、次のような課題があった。
【０００７】
つまり、上記何れの綿入れ半纏も、左右の前身頃部を合わせるか合わせないかのどちらか一つのスタイルしかとることができない。このため、例えば左右の前身頃部の衿部端縁に結び紐の一方と他方が取り付けられている綿入れ半纏では、寒いときに左右の前身頃部を合わせるスタイルがとりにくいなど、状況に応じた着用スタイルの使い分けができないため、使い勝手がよいとはいえなかった。
【０００８】
本発明は、以上の点に鑑みて創案されたものであり、綿入れ半纏等の半纏において、結び紐を結んだときに、左右の前身頃部同士を合わせないスタイルと、前身頃部同士を合わせるスタイルの、両用の着用スタイルを使い分けることができる半纏を提供することを目的とする。
【課題を解決するための手段】
【０００９】
（１）本発明は、後ろ身頃部、左前身頃部、右前身頃部、衿部、および左袖部、右袖部を有する半纏であって、前記左前身頃部の前記衿部端縁の所要箇所に設けられている第１の結び紐と、前記右前身頃部の前記衿部端縁の所要箇所に設けられている第２の結び紐と、前記左前身頃部と前記右前身頃部において、少なくとも前記右前身頃部に設けられているポケットと、前記右前身頃部に設けられている前記ポケットの入口近傍に基端部を固定して設けられている第３の結び紐とを備える半纏である。
【００１０】
（２）本発明は、前記第３の結び紐が、前記ポケットの縫着部で一緒に右前身頃に固定されている構成とすることができる。
【００１１】
この場合、第３の結び紐が、ポケットの縫着部で一緒に右前身頃に固定されることで、第３の結び紐を固定する部分の強度が充分な強度で確保され、耐久性にすぐれる。
【００１２】
（３）本発明は、前記第３の結び紐が、前記ポケットの入口近傍において、前記右前身頃部の衿部とは遠い側の端部に設けられている構成とすることができる。
【００１３】
この場合、第１の結び紐と第３の結び紐を結ぶ際に、左前身頃部が右前身頃部に対して必然的に比較的深く合わせられるので、正面側で左右の前身頃が合わさった部分によって保温効果が増す効果がより顕著になる。
【００１４】
（４）本発明は、前記ポケットの一端が、右前身頃部と後ろ身頃部の間の縫製部で縫着されている構成とすることができる。
【００１５】
この場合、ポケットが設けられる位置が、必然的に右前身頃部の衿部とは遠くなるので、第１の結び紐と第３の結び紐を結ぶ際に、左前身頃部を右前身頃部に対して、より深く合わせることができるようになる。また、半纏の仕立ての際、後ろ身頃部と右前身頃部を縫着するときに、ポケットの一部を一緒に縫着することができるので、手間を省くことができ、効率のよい仕立てが可能になる。
【００１６】
（５）本発明は、左前身頃部の衿部端縁の所要箇所に設けられている第１の結び紐と、右前身頃部の衿部端縁の所要箇所に設けられている第２の結び紐と、前記左前身頃部と前記右前身頃部において、何れか一方、または双方に設けられているポケットと、前記ポケットの入口近傍に基端部を固定して設けられている第３の結び紐とを備える半纏である。
【００１７】
本明細書および特許請求の範囲にいう「半纏」の用語は、一般に使用される「綿入れ半纏」や「綿入れねんねこ半纏」、「亀の子半纏」の他、屋号、商号を背にあらわした「印半纏」、着丈の長い「蝙蝠半纏」、定紋がついた「革半纏」等、各種の半纏を含む意味で使用している。
【００１８】
（作用）
本発明の半纏の作用を説明する。
半纏を着用する際には、両袖部に手を通したあと、結び紐を結んで、正面側で左右の前身頃部を閉じるようにする。半纏は、左右の前身頃部同士を合わせないスタイルと、前身頃部同士を合わせるスタイルの、両用の着用スタイルを使い分けることができる。
【００１９】
すなわち、左右の前身頃部同士を合わせないスタイルをとる場合は、左前身頃部の第１の結び紐と右前身頃部の第２の結び紐を結ぶことにより、左右の前身頃部を閉じるようにする。使用しない第３の結び紐は、ポケットに収容して外から見えないようにしておく。半纏の左右の前身頃部をこのように閉じると、いわば羽織のようなスタイル、つまり半纏の一般的なスタイルになる。
【００２０】
また、前身頃部同士を合わせるスタイルをとる場合は、左前身頃部の第１の結び紐と、右前身頃部に設けられているポケットの入口近傍にある第３の結び紐を結ぶことにより、右前身頃部に左前身頃部の一部を重ねるように合わせ、左右の前身頃部を閉じる。
【００２１】
半纏の左右の前身頃部をこのように閉じると、いわばダブルの上着のようなスタイルになり、正面側の前身頃が合わさった部分によって保温効果が増す。なお、このときの右前身頃部に左前身頃部を重ね合わせる幅、又は深さは、結び紐の結び方（結び目の大小等）によって適宜調整することができる。このように、本発明の半纏には、一着で上記のような二通りの着用スタイルをとることができる効果がある。
【発明の効果】
【００２２】
本発明は、綿入れ半纏等の半纏において、結び紐を結んだときに、左右の前身頃部同士を合わせないスタイルと、前身頃部同士を合わせるスタイルの、両用の着用スタイルを使い分けることができる半纏を提供することができる。
【図面の簡単な説明】
【００２３】
【図１】本発明に係る半纏の第１の実施形態を示す斜視図である。
【図２】ポケット内における結び紐の取付部を示す斜視説明図である。
【図３】半纏の第１の着用スタイルを示す斜視説明図である。
【図４】半纏の第２の着用スタイルを示す斜視説明図である。
【図５】本発明に係る半纏の第２の実施形態を示す斜視図である。
【発明を実施するための形態】
【００２４】
本発明を図面に示した実施の形態に基づき詳細に説明する。
図１および図２を参照する。
本発明の半纏の第１実施の形態である綿入れ半纏Ａ１は、後ろ身頃部１、左前身頃部２、右前身頃部３、衿部４、および左袖部５、右袖部６を有している。
【００２５】
上記衿部４は、左前身頃部２と右前身頃部３の正面側の縁部に、縁部の全長にわたり設けられている。衿部４の素材としては、黒繻子が一般的であるが、それに限定はされない。左前身頃部２の縁部に設けられている衿部４の端縁において、左前身頃部２の上下方向のほぼ中間部には、第１の結び紐２０が設けられている。第１の結び紐２０は、所要長さを有し、折り重ねて細い帯状に縫製された布製であり、基端部を衿部４に縫着して固定されている。
【００２６】
また、右前身頃部３の縁部に設けられている衿部４の端縁において、右前身頃部３の上下方向のほぼ中間部には、上記第１の結び紐２０と対向する位置（同じ高さ）に、第２の結び紐３０が設けられている。第２の結び紐３０は、上記第１の結び紐２０と同様に、所要長さを有し、折り重ねて細い帯状に縫製された布製であり、基端部を衿部４に縫着して固定されている。
【００２７】
左前身頃部２と右前身頃部３のそれぞれの下端寄りには、四角形のポケット２１、３１が縫着して固定されている。ポケット２１、３１の上辺部は、重ね折りをして縫製され、補強されている。右前身頃部３に設けられているポケット３１において、上部の入口３２近傍の右側端部（衿部４から遠い側の端部）には、第３の結び紐３３が設けられている。なお、他方の左前身頃部２側のポケット２１には、結び紐は設けられていない。
【００２８】
第３の結び紐３３は、図２に示しているように、その基端部が、ポケット３１を縫着している縫着部３１０で、ポケット３１と一緒に右前身頃３に固定されている。これにより、第３の結び紐３３を固定する部分の強度は、充分な強度で確保され、耐久性にすぐれている。
【００２９】
第３の結び紐３３は、上記第１の結び紐２０と同様に、所要長さを有し、折り重ねて細い帯状に縫製された布製である。なお、第３の結び紐３３の基端部の取り付け位置は、図１に示すように、上記第１の結び紐２０の基端部の取り付け位置よりやや低い位置に設定されている。
【００３０】
（作用）
主に図３および図４を参照して、綿入れ半纏Ａ１の使用方法および作用について説明する。
綿入れ半纏Ａ１を着用する際には、左袖部５、および右袖部６に手を通したあと、第１の結び紐２０、第２の結び紐３０または第３の結び紐３３を適宜結んで、正面側で左身頃部２と右前身頃部３を閉じるようにする。
【００３１】
まず、左身頃部２と右前身頃部３を合わせないスタイルをとる場合は、左前身頃部２の第１の結び紐２０と右前身頃部３の第２の結び紐３０を結ぶことにより、左右の前身頃部２、３を閉じるようにする。なお、使用しない第３の結び紐は、ポケット３１に収容して外から見えないようにしておく。綿入れ半纏Ａ１の左右の前身頃部２、３をこのように閉じると、いわば羽織のようなスタイル、つまり半纏の一般的なスタイルになる（図３参照）。
【００３２】
また、左身頃部２と右前身頃部３を合わせるスタイルをとる場合は、左前身頃部２の第１の結び紐２０と、右前身頃部３に設けられているポケット３１の入口３２近傍にある第３の結び紐３３を結ぶことにより、右前身頃部３に左前身頃部２の一部を重ねるように合わせ、左右の前身頃部２、３を閉じるようにする。
【００３３】
なお、第３の結び紐３３が、ポケット３１の入口３２近傍において、右前身頃部３の衿部４とは遠い側の端部に設けられているので、第１の結び紐２０と第３の結び紐３３を結ぶ際に、左前身頃部２が右前身頃部３に対して必然的に比較的深く合わせられるので、正面側で左右の前身頃２、３が合わさった部分によって保温効果が増す効果がより顕著になる。
【００３４】
綿入れ半纏Ａ１の左右の前身頃部２、３をこのように閉じると、いわばダブルの上着のようなスタイルになり、正面側の左右の前身頃部２、３が合わさった部分によって保温効果が増す。なお、このときの右前身頃部に左前身頃部を重ね合わせる幅、又は深さは、結び紐の結び方、つまり結び目の大きさを変えて両結び紐２０、３３の有効長さ（結び紐２０、３３の縫着部間の長さ）を調節することによって適宜調整が可能である（図４参照）。
【００３５】
また、第３の結び紐３３の基端部の取り付け位置は、第１の結び紐２０の基端部の取り付け位置よりやや低い位置に設定されているので、左右の前身頃部２、３が合わさったときにも、底辺に段差が生じにくく、見た目に自然で違和感がない（図４参照）。
【００３６】
このように、綿入れ半纏Ａ１は、左右の前身頃部２、３を合わせないスタイルと、左右の前身頃部２、３を合わせるスタイルの、両用の着用スタイルを使い分けることができる。
【００３７】
図５を参照する。
本発明の半纏の第２実施の形態である綿入れ半纏Ａ２は、上記綿入れ半纏Ａ１と、ポケット２１ａ、３１ａおよび第３の結び紐３３ａの位置と取り付け方とが相違しており、他の部分の構造は同様である。したがって、図５においては、綿入れ半纏Ａ１の各部と同等箇所には同一の符号を付して示し、重複する説明は省略する。
【００３８】
綿入れ半纏Ａ２は、左前身頃部２にポケット２１ａが設けられ、右前身頃部３にポケット３１ａが設けられている。ポケット２１ａとポケット３１ａは、その一端（外側に位置する端縁部）が、左前身頃２、右前身頃３と後ろ身頃１の間の縫製部１２、１３で縫着されている。なお、右前身頃部３のポケット３１ａでは、結び紐３３ａもその基端が縫製部１３で右前身頃部３に固定されている。
【００３９】
これによれば、第３の結び紐３３ａを固定する部分の強度は、充分な強度で確保され、耐久性にすぐれている。また、結び紐３３ａを取り付けた側のポケット３１ａが形成された位置は、必然的に右前身頃部３の衿部４とはより遠くなるので、第１の結び紐２０と第３の結び紐３３ａを結ぶ際に、左前身頃部２を右前身頃部３に対して、より深く合わせることができるようになる。
【００４０】
更には、綿入れ半纏Ａ２の仕立ての際、後ろ身頃１と左前身頃部２、右前身頃部３を縫製部１２、１３で縫着するときに、ポケット２１ａ、３１ａの一部を一緒に縫着することができるので、ポケット２１ａ、３１ａを縫着するに当たり手間を省くことができ、効率のよい仕立てが可能になる。
【００４１】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００４２】
Ａ１  綿入れ半纏
１  後ろ身頃部
１２、１３  縫製部
２  左前身頃部
２０  第１の結び紐
２１  ポケット
３  右前身頃部
３０  第２の結び紐
３１  ポケット
３１０  縫着部
３２  入口
３３  第３の結び紐
４  衿部
５  左袖部
６  右袖部
Ａ２  綿入れ半纏
２１ａ  ポケット
３１ａ  ポケット
３３ａ  第３の結び紐
【図１】
0006410306.tif 000002
【図２】
0006410306.tif 000003
【図３】
0006410306.tif 000004
【図４】
0006410306.tif 000005
【図５】
0006410306.tif 000006